【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
コンテンツ情報の受信を指示する受信指示ステップと、
前記受信指示ステップにおける指示に応じてコンテンツ情報を受信する受信ステップと、
表示画面内に複数のタブを表示させるタブ表示制御ステップと、
前記受信ステップにおいて受信されるコンテンツ情報を前記複数のタブのいずれかに対応付ける対応関係設定ステップと、
前記受信ステップにおいて受信された前記コンテンツ情報を描画処理してコンテンツ画像を生成するとともに、当該コンテンツ画像を画像記憶手段に記憶させる描画処理ステップと、
前記複数のタブの中から選択された表示対象タブに対応するコンテンツ情報のコンテンツ画像を、前記表示画面のうち前記複数のタブの表示領域以外に表示させるコンテンツ画像表示制御ステップと、
前記受信指示ステップにおいて受信が指示された所定のコンテンツ情報の前記受信ステップにおける受信処理と前記描画処理ステップにおける描画処理及び記憶処理とのうち少なくとも１つ以上の処理について、当該処理が完了したか否かを少なくとも示す進捗情報を取得する進捗情報取得ステップと、
前記進捗情報取得ステップにおいて取得された進捗情報に応じた画像を、前記所定のコンテンツ情報に対応付けられたタブに関連付けた状態で前記表示画面内に表示させる進捗状況出力ステップと、
をコンピュータに実行させるための画面表示プログラム。
【請求項２】
請求項１に記載の画面表示プログラムであって、
前記進捗情報取得ステップにおいては、前記所定のコンテンツ情報に対応付けられたタブが表示対象タブであるか否かに係わらず、当該タブに対応付けられているコンテンツ情報の前記進捗情報を取得する
ことを特徴とする画面表示プログラム。
【請求項３】
請求項１又は請求項２に記載の画面表示プログラムであって、
前記進捗情報取得ステップにおいては、前記表示画面のうち前記所定のコンテンツ情報に対応付けられているタブの表示領域内に前記進捗情報に応じた画像を表示させる
ことを特徴とする画面表示プログラム。
【請求項４】
請求項１から請求項３のうち、いずれか１項に記載の画面表示プログラムであって、
前記進捗情報取得ステップは、前記所定のコンテンツ情報の前記少なくとも１つ以上の処理の進捗状況を前記進捗情報として算出する進捗状況算出ステップを含む
ことを特徴とする画面表示プログラム。
【請求項５】
請求項４に記載の画像表示プログラムであって、
前記コンテンツ情報は、コンテンツ画像のレイアウトを決定するメインデータを含み、
前記描画処理ステップにおいては、前記受信ステップにおいて受信された前記メインデータを解析する処理と、該解析結果に基づいて、前記コンテンツ画像のレイアウト画像を生成するとともに、当該レイアウト画像を前記画像記憶手段に記憶させる処理とを行い、
前記進捗状況算出ステップにおいては、前記受信ステップにおいてメインデータを受信する受信処理と前記描画ステップにおいて行う解析処理と画像生成及び記憶処理とのうち少なくとも１つ以上の処理の進捗状況を前記進捗情報として算出する
ことを特徴とする画面表示プログラム。
【請求項６】
請求項５に記載の画面表示プログラムであって、
前記コンテンツ情報は、前記メインデータに対応付けられている少なくとも１つ以上の要素データを更に含み、
前記受信ステップにおいては、前記メインデータを受信した後、前記要素データを受信し、
前記描画処理ステップにおいては、前記メインデータに基づいて生成したレイアウト画像と、前記要素データとを合成する処理を行い、
前記進捗状況算出ステップにおいては、前記コンテンツ情報に含まれる要素データの総数に対する受信済みの要素データの数の割合に基づいて、前記進捗状況を算出する
ことを特徴とする画面表示プログラム。
【請求項７】
請求項４から請求項６のうち、いずれか１項に記載の画面表示プログラムであって、
前記進捗状況算出ステップにおいては、前記進捗状況の算出対象となる全ての前記処理に対する各処理の割合が予め設定されており、
前記各処理が完了した場合に、前記全ての処理に対する当該処理の割合に基づいて、前記進捗状況を算出する
ことを特徴とする画面表示プログラム。
【請求項８】
請求項１から請求項７のうち、いずれか１項に記載の画面表示プログラムであって、
前記タブ表示制御ステップにおいては、前記表示対象タブと、当該表示対象タブ以外のタブとの表示態様を異ならせる
ことを特徴とする画面表示プログラム。
【請求項９】
請求項１から請求項８のうち、いずれか１項に記載の画面表示プログラムであって、
前記タブ表示制御ステップにおいては、前記コンテンツ情報が対応付けられているタブと、前記コンテンツ情報が対応付けられていないタブとの表示態様を異ならせる
ことを特徴とする画面表示プログラム。
【請求項１０】
請求項１から請求項９のうち、いずれか１項に記載の画面表示プログラムであって、
前記タブ表示制御ステップにおいては、前記複数のタブの表示態様を各々異ならせる
ことを特徴とする画面表示プログラム。
【請求項１１】
請求項１から請求項１０のうち、いずれか１項に記載の画面表示プログラムを記憶したコンピュータ読み取り可能な記憶媒体。
【請求項１２】
コンテンツ情報の受信を指示する受信指示手段と、
前記受信指示手段からの指示に応じてコンテンツ情報を受信する受信手段と、
表示画面内に複数のタブを表示させるタブ表示制御手段と、
前記受信手段が受信するコンテンツ情報を前記複数のタブのいずれかに対応付ける対応関係設定手段と、
画像記憶手段と、
前記受信手段が受信した前記コンテンツ情報を描画処理してコンテンツ画像を生成するとともに、当該コンテンツ画像を前記画像記憶手段に記憶させる描画処理手段と、
前記複数のタブの中から選択された表示対象タブに対応するコンテンツ情報のコンテンツ画像を、前記表示画面のうち前記複数のタブの表示領域以外に表示させるコンテンツ画像表示制御手段と、
前記受信指示手段が受信を指示した所定のコンテンツ情報の前記受信手段による受信処理と前記描画処理手段による描画処理及び記憶処理とのうち少なくとも１つ以上の処理について、当該処理が完了したか否かを少なくとも示す進捗情報を取得する進捗情報取得手段と、
前記進捗情報取得手段が取得した進捗情報に応じた画像を、前記所定のコンテンツ情報に対応付けられたタブに関連付けた状態で前記表示画面内に表示させる進捗状況出力手段と、を備えた
ことを特徴とする画面表示装置。
【請求項１３】
請求項１２に記載の画面表示装置であって、
前記進捗情報取得手段は、前記所定のコンテンツ情報に対応付けられたタブが表示対象タブであるか否かに係わらず、当該タブに対応付けられているコンテンツ情報の前記進捗情報を取得する
ことを特徴とする画面表示装置。
【請求項１４】
請求項１２又は請求項１３に記載の画面表示装置であって、
前記進捗情報取得手段は、前記所定のコンテンツ情報の前記少なくとも１つ以上の処理の進捗状況を前記進捗情報として算出する
ことを特徴とする画面表示装置。
【請求項１５】
請求項１４に記載の画面表示装置であって、
前記コンテンツ情報は、コンテンツ画像のレイアウトを決定するメインデータを含み、
前記描画処理手段は、前記受信手段が受信した前記メインデータを解析する処理と、該解析結果に基づいて、前記コンテンツ画像のレイアウト画像を生成するとともに、当該レイアウト画像を前記画像記憶手段に記憶させる処理とを行い、
前記進捗情報取得手段は、前記受信手段がメインデータを受信する受信処理と前記描画手段が行う解析処理と画像生成及び記憶処理とのうち少なくとも１つ以上の処理の進捗状況を前記進捗情報として算出する
ことを特徴とする画面表示装置。
【請求項１６】
請求項１５に記載の画面表示装置であって、
前記コンテンツ情報は、前記メインデータに対応付けられている少なくとも１つ以上の要素データを更に含み、
前記受信手段は、前記メインデータを受信した後、前記要素データを受信し、
前記描画処理手段は、前記メインデータに基づいて生成し前記画像記憶手段に記憶させたレイアウト画像と、前記要素データとを合成する処理を行い、
前記進捗情報取得手段は、前記コンテンツ情報に含まれる要素データの総数に対する受信済みの要素データの数の割合に基づいて、前記進捗状況を算出する
ことを特徴とする画面表示装置。
【請求項１７】
表示画面と、
ユーザからの指示が入力される操作入力部と、
請求項１２から請求項１６のうち、いずれか１項に記載の画面表示装置と、
を少なくとも一体的に備えた携帯端末装置。
【請求項１８】
コンテンツ情報の受信を指示し、
前記指示に応じてコンテンツ情報を受信し、
表示画面内に複数のタブを表示させ、
前記受信されるコンテンツ情報を前記複数のタブのいずれかに対応付け、
前記受信された前記コンテンツ情報を描画処理してコンテンツ画像を生成するとともに、当該コンテンツ画像を画像記憶手段に記憶させ、
前記複数のタブの中から選択された表示対象タブに対応するコンテンツ情報のコンテンツ画像を、前記表示画面のうち前記複数のタブの表示領域以外に表示させ、
前記受信が指示された所定のコンテンツ情報を受信する処理と、該受信されたコンテンツ情報を描画処理してコンテンツ画像を生成するとともに、当該コンテンツ画像を前記画像記憶手段に記憶させる処理とのうち少なくとも１つ以上の処理について、当該処理が完了したか否かを少なくとも示す進捗情報を取得し、
前記取得された進捗情報に応じた画像を、前記所定のコンテンツ情報に対応付けられたタブに関連付けた状態で前記表示画面内に表示させる
ことを特徴とする画面表示方法。
【請求項１９】
請求項１８に記載の画面表示方法であって、
前記所定のコンテンツ情報に対応付けられたタブが表示対象タブであるか否かに係わらず、当該タブに対応付けられているコンテンツ情報の前記進捗情報を取得する
ことを特徴とする画面表示方法。
【請求項２０】
請求項１６又は請求項１７に記載の画面表示方法であって、
前記所定のコンテンツ情報の前記少なくとも１つ以上の処理の進捗状況を前記進捗情報として算出する
ことを特徴とする画面表示方法。
【請求項２１】
請求項２０に記載の画面表示方法であって、
前記コンテンツ情報は、コンテンツ画像のレイアウトを決定するメインデータを含み、
前記受信した前記メインデータを解析する処理と、該解析結果に基づいて、前記コンテンツ画像のレイアウト画像を生成するとともに、当該レイアウト画像を前記画像記憶手段に記憶させる処理とを行い、
前記メインデータを受信する受信処理と前記解析処理と前記画像生成及び記憶処理とのうち少なくとも１つ以上の処理の進捗状況を前記進捗情報として算出する
ことを特徴とする画面表示方法。
【請求項２２】
請求項２１に記載の画面表示方法であって、
前記コンテンツ情報は、前記メインデータに対応付けられている少なくとも１つ以上の要素データを更に含み、
前記メインデータを受信した後、前記要素データを受信し、
前記メインデータに基づいて生成し前記画像記憶手段に記憶させたレイアウト画像と、前記要素データとを合成する処理を行い、
前記コンテンツ情報に含まれる要素データの総数に対する受信済みの要素データの数の割合に基づいて、前記進捗状況を算出する
ことを特徴とする画面表示方法。